(57)【要約】【課題】従来技術の欠点および不備を解消できる発光ダイオードバックライト光源およびその操作方法を提供する。【解決手段】本発明に係る複数の発光ダイオードストリップ（Light Emitting Diode Strip, ＬＥＤ strip）を有するバックライト光源においては、各発光ダイオードストリップに供給される駆動電流が、各発光ダイオードストリップが出力する実際の光の色度および輝度と各発光ダイオードストリップの所望する光の色度および輝度との間の色度座標の差に基づいて調整され、これにより発光ダイオードバックライト光源が輝度の均一な所望の色の光を作り出すことができるようになる。本発明はまた、上述の発光ダイオードバックライト光源の操作方法も開示している。【選択図】図１
2009117841.tif 000002
【特許請求の範囲】
【請求項１】
発光ダイオードバックライト光源に適用される操作方法であって、前記発光ダイオードバックライト光源が複数の発光ダイオードストリップ｛Ｓi｝を有し（ただしｉ＝１，２，３，・・・Ｎであり、かつＮは正の整数である。）、各前記発光ダイオードストリップＳiは駆動電流Ｃiを受け取るとともに、前記駆動電流Ｃiに応じて光Ｌiを発し、前記光Ｌiの色度および輝度の特徴が前記駆動電流Ｃiと関連を有する色度座標Ｌｕｖiによって表され、
前記操作方法は、
ａ．パルス幅変調装置により、前記複数の発光ダイオードストリップ｛Ｓi｝の各々へ対応の駆動電流Ｃiを供給して、前記複数の発光ダイオードストリップ｛Ｓi｝の各々に光Ｌiを発光させる工程と、
ｂ．モニタされる発光ダイオードストリップＳkに供給される駆動電流Ｃkに、前記発光ダイオードストリップＳkの発する光Ｌkの色度座標Ｌｕｖk（ただしｋ＝１，２，３，…またはＮである。）に影響を及ぼさないように選ばれた時間遅延または位相シフトをかける工程と、
ｃ．前記時間遅延または前記位相シフトがモニタされた場合、前記発光ダイオードストリップＳkの発する前記光Ｌkの前記色度座標Ｌｕｖkを測定する工程と、
ｄ．測定された前記発光ダイオードストリップＳkの発する前記光Ｌkの前記色度座標Ｌｕｖkと前記発光ダイオードストリップＳkに付与する光の基準色度座標Ｒｕｖkとを比較する工程と、
ｅ．測定された前記色度座標Ｌｕｖkが前記発光ダイオードストリップＳkに付与する光の前記基準色度座標Ｒｕｖkに等しくなるように、前記発光ダイオードストリップＳkに供給される前記駆動電流Ｃkを調整する工程と、
ｆ．前記複数の発光ダイオードストリップ｛Ｓi｝の発する光が実質的に均一な色度および実質的に均一な輝度を持つよう、前記複数の発光ダイオードストリップ｛Ｓi｝のうちの残りの各々に対して前記工程ｂ〜ｅを繰り返して行う工程と、
を含むことを特徴とする操作方法。
【請求項２】
前記調整工程が、前記駆動電流Ｃkのデューティサイクルを調整することによって実行されることを特徴とする請求項１に記載の操作方法。
【請求項３】
前記調整工程が、前記駆動電流Ｃkの振幅を調整することによって実行されることを特徴とする請求項１に記載の操作方法。
【請求項４】
各前記発光ダイオードストリップＳiが、空間上で規則的に配列する複数の赤色、緑色および青色発光ダイオードを含み、前記赤色、緑色および青色各タイプの発光ダイオードが電気的に連結されていることを特徴とする請求項１に記載の操作方法。
【請求項５】
前記発光ダイオードストリップＳiに供給される前記駆動電流Ｃiが、前記赤色、緑色および青色各タイプの発光ダイオードをそれぞれ駆動する３つの電流ＣiR、ＣiGおよびＣiBを含むことを特徴とする請求項４に記載の操作方法。
【請求項６】
前記複数の発光ダイオードストリップのうちの１つであるＳiに付与する前記基準色度座標Ｒｕｖkが、
前記駆動電流Ｃiを前記複数の発光ダイオードストリップ｛Ｓi｝の各々に供給して、前記複数の発光ダイオードストリップ｛Ｓi｝の各々に光Ｌiを発光させる工程と、
前記複数の発光ダイオードストリップ｛Ｓi｝の各々の発する前記光Ｌiの前記色度座標Ｌｕｖiを個々に測定する工程と、
基準となる発光ダイオードストリップＳrefに供給される駆動電流Ｃrefに、前記発光ダイオードストリップＳrefの発する光Ｌrefの色度座標Ｌｕｖref（ただしｒｅｆ＝１，２，３，．・・・またはＮである。）に影響を及ぼさないように選ばれた時間遅延または位相シフトをかける工程と、
前記時間遅延または前記位相シフトがモニタされた場合、前記発光ダイオードストリップＳrefの発する前記光Ｌrefの前記色度座標Ｌｕｖrefを測定する工程と、
前記色度座標Ｌｕｖiおよび前記色度座標Ｌｕｖrefにより、前記発光ダイオードストリップＳiの発する前記光Ｌiの前記発光ダイオードストリップＳrefの発する前記光Ｌrefに対する色ずれΔｕｖifおよび輝度のずれΔＩifを計算する工程と、
Δｕｖif＝０かつΔＩif＝０となるように前記発光ダイオードストリップＳiに供給される前記駆動電流Ｃiを調整することにより、Δｕｖif＝０かつΔＩif＝０である前記発光ダイオードストリップＳiの発する前記光Ｌiの前記色度座標Ｌｕｖiに対応した、前記発光ダイオードストリップＳiの光に付与する前記基準色度座標Ｒｕｖiを得る工程と、
によって得られることを特徴とする請求項１に記載の操作方法。
【請求項７】
前記発光ダイオードストリップＳiの光に付与する前記基準色度座標Ｒｕｖiがルックアップテーブルに記憶されることを特徴とする請求項６に記載の操作方法。
【請求項８】
発光ダイオードバックライト光源に適用される操作方法であって、前記発光ダイオードバックライト光源が複数の発光ダイオードストリップ｛Ｓi｝を有し（ただしｉ＝１，２，３，…Ｎであり、かつＮは正の整数である。）、各前記発光ダイオードストリップＳiは空間上で規則的に配列する複数の赤色、緑色および青色発光ダイオードを有しており、前記赤色、緑色および青色各タイプの発光ダイオードは電気的に連結されて駆動電流ＣiZを受け取るとともに、前記駆動電流Ｃizに応じてＺ色の光を発し（ただしＺ＝赤色、緑色または青色である）、
前記操作方法は、
ａ．パルス幅変調装置により、前記複数の発光ダイオードストリップ｛Ｓi｝の各々へ、前記赤色、緑色および青色各タイプの発光ダイオードをそれぞれ駆動する３つの電流ＣiR、ＣiGおよびＣiBを含む対応する駆動電流Ｃiを供給して、前記複数の発光ダイオードストリップ｛Ｓi｝の各々を発光させる工程と、
ｂ．前記発光ダイオードストリップＳiの前記赤色、緑色および青色各タイプの発光ダイオードの発する光の強度ＩiR、ＩiGおよびＩiBをそれぞれ測定する工程と、
ｃ．前記発光ダイオードストリップＳiについて、
【数１】
2009117841.tif 000012
【数２】
2009117841.tif 000013
および
【数３】
2009117841.tif 000014
を判断する工程（但し、ＦiZは前記Ｚ色の光束を表し、ＣｈｒiZは前記Ｚ色の色度を表し、Ｂｒｉiは前記発光ダイオードストリップＳiの輝度を表し、ｇａｔｅＤはゲート信号のデューティサイクルを表し、Ｚ_ｄｕｔｙは前記電流ＣiZのデューティサイクルを表し、ＧＡＩＮはゲインを表し、かつＺ＝赤色、緑色または青色である）と、
ｄ．判断して得られた前記発光ダイオードストリップＳiの発する光の色度および輝度と前記発光ダイオードストリップＳiの光の基準色度および輝度とを比較する工程と、
ｅ．前記発光ダイオードストリップＳiの発する光の色度および輝度が前記発光ダイオードストリップＳiの光の前記基準色度および輝度に等しくなるように、前記発光ダイオードストリップＳiに供給される前記駆動電流Ｃiを調整する工程と、
ｆ．前記複数の発光ダイオードストリップ｛Ｓi｝の発する光が実質的に均一な色度および実質的に均一な輝度を持つよう、前記複数の発光ダイオードストリップ｛Ｓi｝のうちの残りの各々に対して前記工程ｂ〜ｅを繰り返し行う工程と、
を含むことを特徴とする操作方法。
【請求項９】
前記測定の工程は、
前記発光ダイオードストリップＳiに供給される前記駆動電流Ｃiに、前記発光ダイオードストリップＳiの発する光の色度および輝度に影響を及ぼさないように選ばれた時間遅延または位相シフトをかける工程と、
前記時間遅延または前記位相シフトがモニタされた場合、前記発光ダイオードストリップＳiの前記赤色、緑色および青色各タイプの発光ダイオードの発する光の強度ＩiR、ＩiGおよびＩiBをそれぞれ測定する工程と、
を含むことを特徴とする請求項８に記載の操作方法。
【請求項１０】
前記調整工程が、前記駆動電流Ｃiのデューティサイクルを調整することによって実行されることを特徴とする請求項８に記載の操作方法。
【請求項１１】
前記調整工程が、前記駆動電流Ｃiの振幅を調整することによって実行されることを特徴とする請求項８に記載の操作方法。
【請求項１２】
各前記発光ダイオードストリップＳiの光の基準色度および輝度がルックアップテーブルに記憶されることを特徴とする請求項８に記載の操作方法。
【請求項１３】
複数の発光ダイオードストリップ｛Ｓi｝であって、
各前記発光ダイオードストリップＳiが所望の色の光を発することのできる複数の発光ダイオードストリップ｛Ｓi｝（ただしｉ＝１，２，３，．．.Ｎであり、かつＮは正の整数である）と、
前記複数の発光ダイオードストリップ｛Ｓi｝に電気的に連結され、パルス幅変調装置により、前記複数の発光ダイオードストリップ｛Ｓi｝の各々へ対応する駆動電流Ｃiを供給することで、前記複数の発光ダイオードストリップ｛Ｓi｝の各々に、前記発光ダイオードストリップＳiに供給される駆動電流と関連を有する色度座標Ｌｕｖiによってその色度および輝度の特徴が表される光Ｌiを発光させるドライバユニットと、
前記複数の発光ダイオードストリップ｛Ｓi｝に連結され、各前記発光ダイオードストリップＳiの発する前記光Ｌiの前記色度座標Ｌｕｖiを個々に検出するセンサユニットと、
前記センサユニットおよび前記ドライバユニットと交信し、前記センサユニットからその検出した各前記発光ダイオードストリップＳiの発する前記光Ｌiの前記色度座標Ｌｕｖiを受け取るとともに、受け取った各前記発光ダイオードストリップＳiの発する前記光Ｌiの前記色度座標Ｌｕｖiに基づいて、前記複数の発光ダイオードストリップ｛Ｓi｝の発する光が実質的に均一な色度および実質的に均一な輝度を持つように前記ドライバユニットから各前記発光ダイオードストリップＳiに供給される前記駆動電流Ｃiを決定するコントローラと、
を含むことを特徴とする発光ダイオードバックライト光源。
【請求項１４】
前記ドライバユニットと、前記複数の発光ダイオードストリップ｛Ｓi｝と、前記センサユニットと、および前記コントローラとによって、閉ループフィードバック制御系が形成されることを特徴とする請求項１３に記載の発光ダイオードバックライト光源。
【請求項１５】
前記ドライバユニットから各前記発光ダイオードストリップＳiに供給される前記駆動電流Ｃiが、調整可能なデューティサイクル（duty  cycle）および振幅を有するパルス幅変調信号の形式であることを特徴とする請求項１３に記載の発光ダイオードバックライト光源。
【請求項１６】
各前記発光ダイオードストリップＳiが、空間上で規則的に配列する複数の赤色、緑色および青色発光ダイオードを含み、前記赤色、緑色および青色各タイプの発光ダイオードが電気的に連結されていることを特徴とする請求項１５に記載の発光ダイオードバックライト光源。
【請求項１７】
前記発光ダイオードストリップＳiに供給される前記駆動電流Ｃiが、前記赤色、緑色および青色各タイプの発光ダイオードをそれぞれ駆動する３つの電流ＣiR、ＣiGおよびＣiBを含むことを特徴とする請求項１５に記載の発光ダイオードバックライト光源。
【請求項１８】
前記コントローラが、モニタされる発光ダイオードストリップＳkに供給される駆動電流Ｃkに、前記発光ダイオードストリップＳkの発する光Ｌkの色度座標Ｌｕｖk（ただしｋ＝１，２，３，・・・またはＮである。）に影響を及ぼさないように選ばれた時間遅延または位相シフトをかけることを特徴とする請求項１３に記載の発光ダイオードバックライト光源。
【請求項１９】
前記センサユニットが、前記時間遅延または前記位相シフトを検出することにより、モニタされる前記発光ダイオードストリップから発せられる光を判断することができることを特徴とする請求項１８に記載の発光ダイオードバックライト光源。
【請求項２０】
前記コントローラに記憶されたルックアップテーブルをさらに含み、前記ルックアップテーブルが、各前記発光ダイオードストリップＳiの前記光Ｌiの情報および基準色度座標を含み、かつ各前記発光ダイオードストリップＳiの前記対応する駆動電流の情報を含むことを特徴とする請求項１８に記載の発光ダイオードバックライト光源。
【発明の詳細な説明】
【技術分野】
【０００１】
本発明は発光ダイオードバックライト光源に関し、特に、複数の発光ダイオードストリップ（Light Emitting  Diode  Strip,  ＬＥＤ  strip）を有するバックライト光源およびその操作方法に関するものである。
【背景技術】
【０００２】
液晶ディスプレイ（liquid  crystal  display，ＬＣＤ）は低消費電力で高品質画像を表示することができることから、表示装置に広く用いられている。しかしながら、液晶ディスプレイ内の液晶分子自体は、自ら発光することができない。明りょうかつ鮮明にテキストや画像が表示されるようにするには、光源で液晶分子を照明する必要がある。一般に、バックライト光源は光源として用いられる。近年では、新たなバックライト光源として発光ダイオードアレイモジュールが使用されるようになっており、ますます普及してきている。
【０００３】
液晶ディスプレイバックライト光源は通常、複数の赤色（Ｒ）、緑色（Ｇ）および青色（Ｂ）発光ダイオードを含んでおり、これらは規則的に配列されて複数の発光ダイオード領域を形成し、電気的に駆動されることによって各種の色の光（白色を含む）を作り出している。一般に、個々のＲＧＢ発光ダイオードの特性は、温度、駆動電流および経時変化によってバラつきが生じる。同じ発光ダイオード製造プロセスを採用しても、発光ダイオードの特性はロットごとに違いが出てしまい、また異なる製造業者間でも違いが出ている。このため、バックライトモジュールの異なる発光ダイオード領域において、ＲＧＢ発光ダイオードバックライトモジュールの生じる光の輝度と彩度は不均一なものとなってしまう。さらに、異なる発光ダイオード領域間の温度差は、液晶ディスプレイに表示される画像データの影響も受けるため、ほぼ予測不能なものである。このことが光の輝度と彩度をより不均一とさせることとなっている。発光ダイオードバックライト光源が均一な輝度および望ましい彩度の光を確実に作り出すことができるよう、通常、適切なフィードバック制御系を用いて各発光ダイオード領域の発する光の色度および／または輝度をモニタすることが行われている。
【０００４】
従来のフィードバック系は複数の光センサを含んでいる。各光センサは、対応する発光ダイオード領域から発せられる光の色度を個々にモニタするのに用いられる。そして、モニタされた光の色度がコントローラへフィードバックされ、これに基づいてその発光ダイオード領域の駆動電流が調整され、これにより各発光ダイオード領域から発せられる光の色が所望の色度となるよう制御される。また、別のフィードバック系は、各発光ダイオード領域の温度をモニタする１つまたは複数の温度検出器を含み、モニタされた温度に基づいて各発光ダイオード領域の駆動電流が調整されるようになっている。しかしながら、これらのフィードバック系では、多数のセンサまたは温度検出器を用いて均一性を保証しなければならず、故にこれらの系統は結果的に複雑な制御回路となってしまい、コスト効率が悪い。
【０００５】
本発明の属する技術分野において、上述のような欠点および不備を解決できる策は未だ提示されていない。
【発明の開示】
【発明が解決しようとする課題】
【０００６】
上述に鑑みて、本発明の目的は、発光ダイオードバックライト光源およびその操作方法を提供することにある。
【課題を解決するための手段】
【０００７】
本発明は、発光ダイオードバックライト光源に適用される操作方法に関する。発光ダイオードバックライト光源は複数の発光ダイオードストリップ｛Ｓi｝を有し（ただしｉ＝１，２，３，・・・Ｎであり、かつＮは正の整数である。）、各発光ダイオードストリップＳiは駆動電流Ｃiを受け取るとともに、駆動電流Ｃiに応じて光Ｌiを発する。光Ｌiの色度および輝度の特徴は色度座標Ｌｕｖiにより表される。この色度座標Ｌｕｖiは駆動電流Ｃiと関連を有している。実施例では、各発光ダイオードストリップＳiは、空間上で規則的に配列する複数の赤色、緑色および青色発光ダイオードを含み、かつ赤色、緑色および青色各タイプの発光ダイオードは電気的に連結されている。
【０００８】
実施例において、上記方法は、（ａ）パルス幅変調（pulse  width  modulation，ＰＷＭ）装置により、複数の発光ダイオードストリップ｛Ｓi｝へ対応する駆動電流Ｃiを供給して、複数の発光ダイオードストリップ｛Ｓi｝に光Ｌiを発光させる工程、（ｂ）モニタされる発光ダイオードストリップＳkに供給される駆動電流Ｃkに、発光ダイオードストリップＳkの発する光Ｌkの色度座標Ｌｕｖk（ただしｋ＝１，２，３，・・・またはＮである。）に影響を及ぼさないように選ばれた時間遅延または位相シフトをかける工程、（ｃ）時間遅延または位相シフトがモニタされた場合、発光ダイオードストリップＳkの発する光Ｌkの色度座標Ｌｕｖkを測定する工程、（ｄ）測定された発光ダイオードストリップＳkの発する光Ｌkの色度座標Ｌｕｖkと発光ダイオードストリップＳkの光の基準色度座標Ｒｕｖkとを比較する工程、（ｅ）測定された色度座標Ｌｕｖkが発光ダイオードストリップＳkの光の基準色度座標Ｒｕｖkに等しくなるように、発光ダイオードストリップＳkに供給される駆動電流Ｃkを調整する工程、ならびに（ｆ）複数の発光ダイオードストリップ｛Ｓi｝の発する光が実質的に均一な色度および実質的に均一な輝度を持つよう、複数の発光ダイオードストリップ｛Ｓi｝のうちの残りの各々に対して工程（ｂ）〜（ｅ）を繰り返し行う工程、を含む。
【０００９】
実施例において、上記調整工程は、駆動電流Ｃkのデューティサイクルを調整することによって実行される。別の実施例において、上記調整工程は、駆動電流Ｃkの振幅を調整することによって実行される。
【００１０】
実施例において、発光ダイオードストリップＳiに供給される駆動電流Ｃiは、赤色、緑色および青色各タイプの発光ダイオードをそれぞれ駆動する３つの電流ＣiR、ＣiGおよびＣiBを含む。
【００１１】
実施例において、複数の発光ダイオードストリップのうちの１つであるＳiの基準色度座標Ｒｕｖkは、駆動電流Ｃiを複数の発光ダイオードストリップ｛Ｓi｝に供給して、複数の発光ダイオードストリップ｛Ｓi｝に光Ｌiを発光させる工程、複数の発光ダイオードストリップ｛Ｓi｝の各々の発する光Ｌiの色度座標Ｌｕｖiを個々に測定する工程、基準となる発光ダイオードストリップＳrefに供給される駆動電流Ｃrefに、発光ダイオードストリップＳrefの発する光Ｌrefの色度座標Ｌｕｖrefに影響を及ぼさないように選ばれた時間遅延または位相シフトをかける工程（ただしｒｅｆ＝１，２，３，・・・またはＮである。）、時間遅延または位相シフトがモニタされた場合、発光ダイオードストリップＳrefの発する光Ｌrefの色度座標Ｌｕｖrefを測定する工程、色度座標Ｌｕｖiおよび色度座標Ｌｕｖrefにより、発光ダイオードストリップＳiの発する光Ｌiの発光ダイオードストリップＳrefの発する光Ｌrefに対する色ずれΔｕｖifおよび輝度のずれΔＩifを計算する工程、ならびにΔｕｖif＝０かつΔＩif＝０となるように発光ダイオードストリップＳiに供給される駆動電流Ｃiを調整することにより、Δｕｖif＝０かつΔＩif＝０である発光ダイオードストリップＳiの発する光Ｌiの色度座標Ｌｕｖiに対応した、発光ダイオードストリップＳiの光の基準色度座標Ｒｕｖiを得る工程、によって得られる。
【００１２】
本発明の別の実施形態は、発光ダイオードバックライト光源に適用される操作方法に関する。発光ダイオードバックライト光源は複数の発光ダイオードストリップ｛Ｓi｝を有する（ただしｉ＝１，２，３，・・・Ｎであり、かつＮは正の整数である。）。各発光ダイオードストリップＳiは、空間上で規則的に配列する複数の赤色、緑色および青色発光ダイオードを有し、かつ赤色、緑色および青色各タイプの発光ダイオードは電気的に連結されて、駆動電流ＣiZを受け取るとともに、駆動電流ＣiZに応じてＺ色の光を発する（ただしＺ＝赤色、緑色または青色である）。
【００１３】
実施例において、上記操作方法は、（ａ）パルス幅変調装置により、複数の発光ダイオードストリップ｛Ｓi｝へ、赤色、緑色および青色各タイプの発光ダイオードをそれぞれ駆動する３つの電流ＣiR、ＣiGおよびＣiBを含む対応する駆動電流Ｃiを供給して、複数の発光ダイオードストリップ｛Ｓi｝を発光させる工程、（ｂ）発光ダイオードストリップＳiの赤色、緑色および青色各タイプの発光ダイオードの発する光の強度ＩiR、ＩiGおよびＩiBをそれぞれ測定する工程、（ｃ）発光ダイオードストリップＳiについて、
【００１４】
【数１】
2009117841.tif 000003
【数２】
2009117841.tif 000004
および
【数３】
2009117841.tif 000005
を判断する工程（ただし、ＦiZはＺ色の光束を表し、ＣｈｒiZはＺ色の色度を表し、Ｂｒｉiは発光ダイオードストリップＳiの輝度を表し、ｇａｔｅＤはゲート信号のデューティサイクルを表し、Ｚ_ｄｕｔｙは電流ＣiZのデューティサイクルを表し、ＧＡＩＮはゲインを表し、かつＺ＝赤色、緑色または青色である。）、（ｄ）判断して得られた発光ダイオードストリップＳiの発する光の色度および輝度と発光ダイオードストリップＳiの光の基準色度および輝度とを比較する工程、（ｅ）発光ダイオードストリップＳiの発する光の色度および輝度が発光ダイオードストリップＳiの光の基準色度および輝度に等しくなるように、発光ダイオードストリップＳiに供給される駆動電流Ｃiを調整する工程、ならびに（f）複数の発光ダイオードストリップ｛Ｓi｝の発する光が実質的に均一な色度および実質的に均一な輝度を持つよう、複数の発光ダイオードストリップ｛Ｓi｝のうちの残りの各々に対して工程（ｂ）〜（ｅ）を繰り返し行う工程、を含む。各発光ダイオードストリップＳiの光の基準色度および輝度はルックアップテーブルに記憶される。
【００１５】
実施例において、上記測定工程は、発光ダイオードストリップＳiに供給される駆動電流Ｃiに、発光ダイオードストリップＳiの発する光の色度および輝度に影響を及ぼさないように選ばれた時間遅延または位相シフトをかける工程、ならびに、時間遅延または位相シフトが検出された場合、発光ダイオードストリップＳiの赤色、緑色および青色各タイプの発光ダイオードの発する光の強度ＩiR、ＩiGおよびＩiBをそれぞれ測定する工程を含む。
【００１６】
実施例において、上記調整工程は、駆動電流Ｃiのデューティサイクルを調整することによって実行される。別の実施例において、上記調整工程は、駆動電流Ｃiの振幅を調整することによって実行される。
【００１７】
本発明の別の実施形態は発光ダイオードバックライト光源に関する。実施例において、該発光ダイオードバックライト光源は、複数の発光ダイオードストリップ｛Ｓi｝を含み、各発光ダイオードストリップＳiは所望の色の光を発することができる（ただしｉ＝１，２，３，・・・Ｎであり、かつＮは正の整数である。）。各発光ダイオードストリップＳiは、空間上で規則的に配列する複数の赤色、緑色および青色発光ダイオードを含み、赤色、緑色および青色各タイプの発光ダイオードは電気的に連結されている。該発光ダイオードバックライト光源は、ドライバユニット、センサユニットおよびコントローラをさらに含む。ドライバユニット、複数の発光ダイオードストリップ｛Ｓi｝、センサユニット、およびコントローラは閉ループフィードバック制御系を形成する。
【００１８】
ドライバユニットは複数の発光ダイオードストリップ｛Ｓi｝に電気的に連結され、パルス幅変調装置により、複数の発光ダイオードストリップ｛Ｓi｝の各々へ対応する駆動電流Ｃiを個々に供給して、複数の発光ダイオードストリップ｛Ｓi｝の各々に光Ｌiを発光させるようにする。光Ｌiの色度および輝度の特徴は色度座標Ｌｕｖiにより表される。この色度座標Ｌｕｖiは発光ダイオードストリップＳiに供給される駆動電流と関連を有している。
【００１９】
センサユニットは複数の発光ダイオードストリップ｛Ｓi｝に接続され、各発光ダイオードストリップＳiの発する光Ｌiの色度座標Ｌｕｖiを個々に検出する。実施例において、センサユニットは、時間遅延または位相シフトを検出することにより、モニタされる発光ダイオードストリップから発せられる光を判断することができる。
【００２０】
コントローラはセンサユニットおよびドライバユニットと交信し、センサユニットの検出した各発光ダイオードストリップＳiの発する光Ｌiの色度座標Ｌｕｖiを受け取ると共に、受け取った各発光ダイオードストリップＳiの発する光Ｌiの色度座標Ｌｕｖiに基づいて、複数の発光ダイオードストリップ｛Ｓi｝の発する光が実質的に均一な色度および実質的に均一な輝度を持つようにドライバユニットから各発光ダイオードストリップＳiに供給される駆動電流Ｃiを決定する。コントローラは、モニタされる発光ダイオードストリップＳkに供給される駆動電流Ｃkに、発光ダイオードストリップＳkの発する光Ｌkの色度座標Ｌｕｖk（ただしｋ＝１，２，３，・・・またはＮである。）に影響を及ぼさないように選ばれた時間遅延または位相シフトをかける。
【００２１】
実施例において、ドライバユニットから各発光ダイオードストリップＳiに供給される駆動電流Ｃiは、調整可能なデューティサイクル（duty  cycle）および振幅を有するパルス幅変調信号の形式である。発光ダイオードストリップＳiに供給される駆動電流Ｃiは、赤色、緑色および青色各タイプの発光ダイオードをそれぞれ駆動する３つの電流ＣiR、ＣiGおよびＣiBを含む。
【００２２】
上記発光ダイオードバックライト光源は、コントローラに記憶されたルックアップテーブルをさらに含む。ルックアップテーブルは、各発光ダイオードストリップＳiの光Ｌiの情報および基準色度座標を含み、かつ各発光ダイオードストリップＳiの対応する駆動電流の情報を含む。
【発明の効果】
【００２３】
本発明に係る発光ダイオードバックライト光源およびその操作方法によれば、各発光ダイオードストリップに供給される駆動電流は、各発光ダイオードストリップが出力する実際の光の色度および輝度と各発光ダイオードストリップの所望する光の色度および輝度との間の色度座標の差に基づいて調整される。よって発光ダイオードバックライト光源が、輝度の均一な所望の色の光を作り出すことができるようになる。
【発明を実施するための最良の形態】
【００２４】
上述した本発明の目的、特徴および長所がより明りょうに理解されるよう、以下に好ましい実施例を挙げ、添付図面を参照しながら、本発明をより詳細に説明する。
【００２５】
当業者には本発明の多数の変更および変形は明らかであろうことより、もっぱら例示の目的で挙げる以下の実施形態により本発明をさらに詳細に説明する。本発明の各実施形態を以下に詳細に記載する。図面において同じ符号は同じ構成要素を示す。以下の記載および特許請求の範囲において、文言で明りょうにそうではないと示さない限り、単数形として表されている語の意味には複数形の照応（plural  reference）も含まれる。
【００２６】
添付の図１〜図４を参照しながら本発明の実施例を説明する。本明細書に具体化されかつ概括的に記載されるように、本発明の目的によれば、実施形態における本発明は、複数の発光ダイオードストリップを有する発光ダイオードバックライト光源に関する。該光源において、各発光ダイオードストリップに供給される駆動電流は、各発光ダイオードストリップが出力する実際の光の色度および輝度と各発光ダイオードストリップの所望する光の色度および輝度との間の色度座標の差に基づいて調整され、これにより発光ダイオードバックライト光源が、輝度の均一な所望の色の光を作り出すことができるようになる。
【００２７】
図１は、本発明の実施例に基づく発光ダイオードバックライト光源１００を示す図である。発光ダイオードバックライト光源１００は複数の発光ダイオードストリップ｛Ｓi｝１１０を有している（ただしｉ＝１，２，３,・・・Ｎであり、かつＮは正の整数である。）。各発光ダイオードストリップＳiは、空間上で規則的に配列して光を発する複数の赤色（Ｒ）、緑色（Ｇ）および青色（Ｂ）発光ダイオード（ＲＧＢ発光ダイオード）を有する。各発光ダイオードストリップＳiは駆動電流Ｃiを受け取るとともに、受け取った駆動電流に応じて光Ｌiを発するように構成されている。
【００２８】
発光ダイオードバックライト光源１００は、ドライバユニット１２０、センサユニット１３０、およびコントローラ１４０をさらに含む。ドライバユニット１２０、複数の発光ダイオードストリップ｛Ｓi｝１１０、センサユニット１３０、およびコントローラ１４０は、複数の発光ダイオードストリップ｛Ｓi｝１１０の各発光ダイオードストリップＳiの発する光の色度および輝度を所望の色度および輝度に調整する閉ループフィードバック制御系を形成する。さらに、発光ダイオードバックライト光源１００は、複数の発光ダイオードストリップ｛Ｓi｝１１０とセンサユニット１３０との間に配置されて、複数の発光ダイオードストリップ｛Ｓi｝１１０から発せられた光を均一に混合する光混合ユニット１５０を備える。
【００２９】
ドライバユニット１２０は複数のドライバ｛Ｄi｝を含む。各ドライバＤiは対応する発光ダイオードストリップＳiに電気的に連結され、駆動電流Ｃiを対応する発光ダイオードストリップＳiに供給することで、該発光ダイオードストリップに光Ｌiを発光させるように構成されている。光Ｌiの色度および輝度の特徴は色度座標Ｌｕｖにより表され、それは発光ダイオードストリップＳiに供給される電流Ｃiと関連を有している。ドライバユニット１２０から発光ダイオードストリッＳiに供給される駆動電流Ｃiは、調整可能なデューティサイクル（duty cycle）および振幅を有するパルス幅変調（pulse  width modulation，ＰＷＭ）信号の形式である。ＰＷＭ駆動電流Ｃiは、ＲＧＢ各タイプの発光ダイオードをそれぞれ駆動する３種のＰＷＭ電流ＣiR、ＣiGおよびＣiBを含んでいる。
【００３０】
センサユニット１３０は光混合ユニット１５０を介して複数の発光ダイオードストリップ｛Ｓi｝１１０に連結され、各発光ダイオードストリップＳiの発する光Ｌiの色度座標Ｌｕｖiを個々に検出する。センサユニット１３０は、発光ダイオードストリップＳiの赤色発光ダイオード、緑色発光ダイオードおよび青色発光ダイオードより発せられる光の強度／輝度をそれぞれ検出する赤色光センサ、緑色光センサおよび青色光センサを含む。検出された発光ダイオードストリップＳiの赤色発光ダイオード、緑色発光ダイオードおよび青色発光ダイオードの発する光の強度／輝度は、発光ダイオードストリップＳiの発する光Ｌiの色度座標Ｌｕｖiを得るために用いられる。あるいは、センサユニット１３０が、発光ダイオードストリップＳiより発せられる光のそれぞれ異なる色の部分を検出することのできるカラーフィルタを含んでいてもよい。
【００３１】
コントローラ１４０はセンサユニット１３０およびドライバユニット１２０と信号で交信し、センサユニット１３０から、その検出した各発光ダイオードストリップＳiの発する光Ｌiの色度座標Ｌｕｖiを受け取るとともに、複数の発光ダイオードストリップ｛Ｓi｝１１０の発する光が実質的に均一な色度および実質的に均一な輝度を持つよう、受け取った検出色度座標Ｌｕｖiに基づいてドライバユニット１２０から各発光ダイオードストリップＳiに供給される駆動電流Ｃiを調整するように構成されている。
【００３２】
動作において、発光ダイオードストリップＳiの発する光Ｌiの色度座標Ｌｕｖiを検出するため、コントローラ１４０は時間遅延Δｔまたは位相シフトΔφ＝２πυΔｔを、ドライバＤiから発光ダイオードストリップＳiに供給されるＰＷＭ駆動電流Ｃiにかける。この時間遅延Δｔまたは位相シフトΔφは、発光ダイオードストリップＳiの発する光Ｌiの色度座標Ｌｕｖiに影響を及ぼさないように選ばれるが、センサユニット１３０により検出可能なものとする。例えば、位相シフトΔφ（または時間遅延Δｔ）は、ＰＷＭ駆動電流Ｃiに加えられる、０−π／１０の範囲内の微小摂動に対応した数値を持つように選択される。センサユニット１３０がこれのＰＷＭ駆動電流Ｃiにおける時間遅延Δｔまたは位相シフトΔφを検出した場合、センサユニット１３０に検出された光Ｌiの色度座標Ｌｕｖiは、発光ダイオードストリップＳiの発する光の色度座標に対応する。検出された発光ダイオードストリップＳiの発する光Ｌiの色度座標Ｌｕｖiはコントローラ１４０にフィードバックされ、次いでコントローラがそれを発光ダイオードストリップＳiの光の基準色度座標Ｒｕｖiと比較し、検出された発光ダイオードストリップＳiの発する光Ｌiの色度座標Ｌｕｖiが発光ダイオードストリップＳiの光の基準色度座標Ｒｕｖiと同じとなるように、発光ダイオードストリップＳiに供給される駆動電流Ｃiを決定する。駆動電流Ｃiを、そのデューティサイクルおよび／または振幅において調整することによって、発光ダイオードストリップＳiの発する光Ｌiの色度座標Ｌｕｖiを発光ダイオードストリップＳiの光の基準色度座標Ｒｕｖiに調整することができるようになる。
【００３３】
実施例において、複数の発光ダイオードストリップ｛Ｓi｝１１０の各発光ダイオードストリップＳiの光の基準色度座標は、コントローラ１４０に記憶されたルックアップテーブル（look-up  table，ＬＵＴ）中に含まれる。ルックアップテーブルＬＵＴは、複数の発光ダイオードストリップ｛Ｓi｝１１０の各発光ダイオードストリップＳiの対応する駆動電流情報も含んでいる。
【００３４】
図２（ａ）および図２（ｂ）は、本発明の実施例による発光ダイオードバックライト光源を駆動する電流のタイミング図であり、ここで、時間遅延Δｔ１または時間遅延Δｔ２が発光ダイオードストリップＳ1の駆動電流Ｃ1にかけられる。図２（ａ）の実施例において、発光ダイオードストリップＳ1の発する光は、発光ダイオードストリップＳ2の発する光、発光ダイオードストリップＳ3の発する光、・・・および発光ダイオードストリップＳNの発する光よりも時間Δｔ１だけ早い。よって、センサユニット１３０が期間０−Δｔ１内に検出する光は、発光ダイオードストリップＳ1の発する光に対応する。一方、図２（ｂ）の実施例では、発光ダイオードストリップＳ1の発する光は、発光ダイオードストリップＳ2の発する光、発光ダイオードストリップＳ3の発する光、・・・および発光ダイオードストリップＳNの発する光よりもわずかに時間Δｔ２だけ遅れる。よって、発光ダイオードストリップＳ2、発光ダイオードストリップＳ3、・・・および発光ダイオードストリップＳNが光を発しなくなった後、センサユニット１３０が期間Δｔ２内に検出する光は、発光ダイオードストリップＳ1の発する光に比例する。
【００３５】
図３は、本発明の別の実施例による発光ダイオードバックライト光源を駆動する電流のタイミング図である。本実施例において、各発光ダイオードストリップＳiの赤色、緑色および青色各タイプの発光ダイオードは、ＰＷＭ電流ＣiR、ＣiGおよびＣiBによりそれぞれ駆動される。赤色、緑色および青色各タイプの発光ダイオードの発光効率が異なることはすでに知られている。言い換えれば、これらは電力消費および発光効率がそれぞれ異なっている。したがって、各ＰＷＭ電流ＣiR、ＣiGおよびＣiBのデューティサイクルもそれに応じて異なる。例えば、ＰＷＭ電流ＣiGのデューティサイクルＧ_ｄｕｔｙはＰＷＭ電流ＣiRのデューティサイクルＲ_ｄｕｔｙより大きく、ＰＷＭ電流ＣiRのデューティサイクルＲ_ｄｕｔｙはＰＷＭ電流ＣiBのデューティサイクルＢ_ｄｕｔｙよりも大きい、つまり、図３に示すように、Ｇ_ｄｕｔｙ＞Ｒ_ｄｕｔｙ＞Ｂ_ｄｕｔｙである。
【００３６】
実施例では、発光ダイオードストリップＳiの赤色、緑色および青色各タイプの発光ダイオードからそれぞれ発せられる光の強度ＩiR、ＩiGおよびＩiBを測定することによって、発光ダイオードストリップＳiの発する光の色度および輝度を、
【００３７】
【数４】
2009117841.tif 000006
【数５】
2009117841.tif 000007
および
【数６】
2009117841.tif 000008
から得ることができる。ただし、ＦiZはＺ色の光束を表し、ＣｈｒiZはＺ色の色度を表し、Ｂｒｉiは発光ダイオードストリップＳiの輝度を表し、ｇａｔｅＤはゲート信号のデューティサイクルを表し、Ｚ_ｄｕｔｙはＰＷＭ電流ＣiZのデューティサイクルを表し、ＧＡＩＮはゲインを表し、かつＺ＝Ｒ（赤色）、Ｇ（緑色）またはＢ（青色）である。
【００３８】
図３の実施例において、発光ダイオードストリップＳ1のＰＷＭ電流Ｃ1R、Ｃ1GおよびＣ1Bは、発光ダイオードストリップＳ2、Ｓ3・・・およびＳNのＰＷＭ電流に対し、Δｔの時間差がある。よって、期間０−Δｔに検出される光は、発光ダイオードストリップＳ1の発する光に対応（比例）する。検出された光はコントローラ１４０にフィードバックされ、発光ダイオードストリップＳ1のＰＷＭ電流Ｃ1R、Ｃ1GおよびＣ1Bがさらに調整される。同様に、発光ダイオードストリップＳ2のＰＷＭ電流Ｃ2R、Ｃ2GおよびＣ2B、発光ダイオードストリップＳ3のＰＷＭ電流Ｃ3R、Ｃ3GおよびＣ3B、・・・ならびに発光ダイオードストリップＳNのＰＷＭ電流ＣNR、ＣNGおよびＣNBも上述のプロセスによって調整することができる。
【００３９】
図４は、本発明の別の実施例による発光ダイオードバックライト光源４００を示す図である。発光ダイオードバックライト光源４００は、バックライト板４１０上に配置された６個の発光ダイオードストリップ４１１〜４１６を含んでいる。なお、他の数の発光ダイオードストリップを用いても本発明を実施することができる。各発光ダイオードストリップは、空間上で規則的に配列してアレイを形成する９個の赤色発光ダイオード４１０Ｒ、９個の緑色発光ダイオード４１０Ｇ、および９個の青色発光ダイオード４１０Ｂを有している。各発光ダイオードストリップはドライバ４２０に電気的に連結され、対応する駆動電流を受け取るとともに、受け取った駆動電流に応じて光４８０を発する。光４８０は発光ダイオードストリップ４１１〜４１６に連結されたセンサ４３０により検出される。センサ４３０により検出された光４８０の信号は、トランスインピーダンス増幅器４４２、ゲーティングコントローラ（gating  controller）４４４、および信号ホルダ（積分器）４４６を介してコントローラ４４０に転送される。すると、コントローラ４４０は、コントローラ４４０に記憶されたルックアップテーブル内に含まれている、モニタされた発光ダイオードストリップの基準値に基づいて、検出された信号を処理する。そして信号が、コントローラ４４０から多重化ユニット４６０を介してドライバ４２０に転送される。該信号に応じ、ドライバ４２０は、モニタされた発光ダイオードストリップに供給される調整電流を生成し、これによってその発する光が調整されることとなる。
【００４０】
本発明の別の実施形態は、複数の発光ダイオードストリップ｛Ｓi｝（ただしｉ＝１，２，３,・・・Ｎ、Ｎは正の整数である。）を有する発光ダイオードバックライト光源の操作方法に関する。実施例による方法は次の工程を含む。工程（ａ）において、ＰＷＭ装置により、複数の発光ダイオードストリップ｛Ｓi｝の各々へ対応する駆動電流Ｃiをそれぞれ供給することで、複数の発光ダイオードストリップ｛Ｓi｝の各々に光Ｌiを発光させる。このうち、光Ｌiの色度および輝度の特徴は、発光ダイオードストリップＳiに供給される電流Ｃiと関連を有する色度座標Ｌｕｖによって表される。
【００４１】
工程（ｂ）において、モニタされる発光ダイオードストリップＳkへ供給されるＰＷＭ駆動電流Ｃkに、時間遅延Δｔまたは位相シフトΔφ＝２πυΔｔをかける（ただしｋ＝１，２，３，・・・またはＮである。）。この時間遅延Δｔまたは位相シフトΔφは、発光ダイオードストリップＳkの発する光Ｌkの色度座標Ｌｕｖkに影響を及ぼさないように選ばれる。実施例では、この時間遅延Δｔまたは位相シフトΔφは実質的に小さいが、検出は可能なものとする。例えば、位相シフトΔφ（または時間遅延Δｔ）は、ＰＷＭ駆動電流Ｃkに加えられる、０−π／１０の範囲内の微小摂動に対応した数値を持つように選ぶことができる。
【００４２】
工程（ｃ）において、時間遅延Δｔまたは位相シフトΔφがモニタされた場合、発光ダイオードストリップＳkの発する光Ｌkの色度座標Ｌｕｖkを測定する。
【００４３】
工程（ｄ）において、測定された発光ダイオードストリップＳkの発する光Ｌkの色度座標Ｌｕｖkと発光ダイオードストリップＳkの光の基準色度座標Ｒｕｖkとを比較する。
【００４４】
工程（ｅ）において、測定された色度座標Ｌｕｖkが発光ダイオードストリップＳkの光の基準色度座標Ｒｕｖkと同じになるように、発光ダイオードストリップＳkに供給されるＰＷＭ駆動電流Ｃkを調整する。この調整工程は、ＰＷＭ駆動電流Ｃkのデューティサイクルおよび／または振幅を調整することにより実行できる。
【００４５】
工程（ｆ）において、複数の発光ダイオードストリップ｛Ｓi｝の発する光が均一な色度および均一な輝度を持つよう、複数の発光ダイオードストリップ｛Ｓi｝のうちの残りの各々に対して工程（ｂ）〜（ｅ）を繰り返し行う。
【００４６】
実施例では、発光ダイオードストリップＳiの光の基準色度座標Ｒｕｖiは、ＰＷＭ駆動電流Ｃiを複数の発光ダイオードストリップ｛Ｓi｝の各々へ供給することで、複数の発光ダイオードストリップ｛Ｓi｝の各々に光Ｌiを発光させる工程、複数の発光ダイオードストリップ｛Ｓi｝の各々の発する光Ｌiの色度座標Ｌｕｖiを個々に測定する工程、基準となる発光ダイオードストリップＳrefに供給されるＰＷＭ駆動電流Ｃrefに、該基準の発光ダイオードストリップＳrefの発する光Ｌrefの色度座標Ｌｕｖrefに影響を及ぼさないように選ばれた時間遅延または位相シフトをかける工程（ただしｒｅｆ＝１，２，３，・・・またはＮである。）、時間遅延または位相シフトがモニタされた場合、基準の発光ダイオードストリップＳrefの発する光Ｌrefの色度座標Ｌｕｖrefを測定する工程、色度座標ＬｕｖiおよびＬｕｖrefより、発光ダイオードストリップＳiの発する光Ｌiの、基準の発光ダイオードストリップＳrefの発する光Ｌrefに対する色ずれΔｕｖifおよび輝度のずれΔＩifを計算する工程、ならびに、Δｕｖif＝０かつΔＩif＝０となるように発光ダイオードストリップＳiに供給されるＰＷＭ駆動電流Ｃiを調整することにより、Δｕｖif＝０かつΔＩif＝０である発光ダイオードストリップＳiの発する光Ｌiの色度座標Ｌｕｖiに対応する、発光ダイオードストリップＳiの光の基準色度座標Ｒｕｖiを得る工程、によって得られる。発光ダイオードストリップＳiの光の基準色度座標Ｒｕｖiはルックアップテーブルに記憶される。
【００４７】
本発明の別の実施形態は、液晶ディスプレイを照明するための発光ダイオードバックライト光源の操作方法に関する。該発光ダイオードバックライト光源は、複数の発光ダイオードストリップ｛Ｓi｝を有する（ただしｉ＝１，２，３，・・・Ｎであり、かつＮは正の整数である。）。各発光ダイオードストリップＳiは、空間上で規則的に配列して光を発する複数の赤色（Ｒ）、緑色（Ｇ）および青色（Ｂ）発光ダイオード（ＲＧＢ発光ダイオード）を有している。ＲＧＢ各タイプの発光ダイオードは電気的に連結されており、駆動電流ＣiZを受け取るとともに、受け取った駆動電流ＣiZに応じてＺ色の光を発するように構成されている（ただしＺ＝Ｒ（赤色）、Ｇ（緑色）またはＢ（青色）である。）。
【００４８】
実施例において、上記方法は、（ａ）ＰＷＭ装置により、複数の発光ダイオードストリップ｛Ｓi｝の各々へ、ＲＧＢ各タイプの発光ダイオードを個々に駆動する３つのＰＷＭ電流ＣiR、ＣiGおよびＣiBを含む対応する駆動電流Ｃiを供給することで、複数の発光ダイオードストリップ｛Ｓi｝の各々を発光させる工程、（ｂ）発光ダイオードストリップＳiのＲＧＢ各タイプの発光ダイオードの発する光の強度ＩiR、ＩiGおよびＩiBをそれぞれ測定する工程、（ｃ）発光ダイオードストリップＳiについて、
【００４９】
【数７】
2009117841.tif 000009
【数８】
2009117841.tif 000010
および
【数９】
2009117841.tif 000011
を判断する工程（ただし、ＦiZはＺ色の光束を表し、ＣｈｒiZはＺ色の色度を表し、Ｂｒｉiは発光ダイオードストリップＳiの輝度を表し、ｇａｔｅＤはゲート信号のデューティサイクルを表し、Ｚ_ｄｕｔｙはＰＷＭ電流ＣiZのデューティサイクルを表し、ＧＡＩＮはゲインを表し、かつＺ＝Ｒ（赤色）、Ｇ（緑色）またはＢ（青色）である。）、（ｄ）判断して得られた発光ダイオードストリップＳiの発する光の色度および輝度と発光ダイオードストリップＳiの光の基準色度および輝度とを比較する工程、（ｅ）発光ダイオードストリップＳiの発する光の色度および輝度が発光ダイオードストリップＳiの光の基準色度および輝度に等しくなるように、発光ダイオードストリップＳiに供給されるＰＷＭ駆動電流Ｃiを調整する工程、ならびに、（ｆ）複数の発光ダイオードストリップ｛Ｓi｝の発する光が均一な色度および均一な輝度を持つよう、複数の発光ダイオードストリップ｛Ｓi｝のうちの残りの各々に対して工程（ｂ）〜（ｅ）を繰り返し行う工程、を含む。各発光ダイオードストリップＳiの光の基準色度および輝度はルックアップテーブルに記憶される。
【００５０】
実施例において、上記測定工程は、発光ダイオードストリップＳiに供給されるＰＷＭ駆動電流Ｃiに時間遅延Δｔまたは位相シフトΔφをかける工程、ならびに、時間遅延Δｔまたは位相シフトΔφが検出された場合、発光ダイオードストリップＳiのＲＧＢ各タイプの発光ダイオードの発する光の強度ＩiR、ＩiG、およびＩiBをそれぞれ測定する工程、を含む。この時間遅延Δｔまたは位相シフトΔφは、発光ダイオードストリップＳiの発する光Ｌiの色度座標Ｌｕｖiに影響を及ぼさないように選ばれる。また、この時間遅延Δｔまたは位相シフトΔφは実質的に小さいが、検出は可能なものとする。例えば、位相シフトΔφ（または時間遅延Δｔ）は、ＰＷＭ駆動電流Ｃiに加えられる、０−π／１０の範囲内の微小摂動に対応した数値を持つように選択することができる。
【００５１】
簡潔に言うと、本発明は、複数の発光ダイオードストリップを有する発光ダイオードバックライト光源を開示する。各発光ダイオードストリップに供給される駆動電流を、各発光ダイオードストリップが出力する実際の光の色度および輝度と各発光ダイオードストリップの所望する光の色度および輝度との間の色度座標の差に基づいて調整することによって、発光ダイオードバックライト光源が、輝度の均一な所望の色の光を作り出せるようになる。本発明はまた、この発光ダイオードバックライト光源の操作方法も開示する。
【００５２】
以上、好適な実施形態により本発明を開示したが、これは本発明の範囲を限定するものではなく、当然、当業者であれば本発明の精神および範囲を逸脱しない限りにおいていくらかの変更および修飾を加えることができる。よって、本発明の保護範囲は添付の特許請求の範囲に定義されたものを基準とする。
【図面の簡単な説明】
【００５３】
【図１】本発明の実施例による発光ダイオードバックライト光源を示す図である。
【図２】（ａ）および（ｂ）は、本発明の実施例による発光ダイオードバックライト光源を駆動する電流のタイミング図である。
【図３】本発明の別の実施例による発光ダイオードバックライト光源を駆動する電流のタイミング図である。
【図４】本発明の別の実施例による発光ダイオードバックライト光源を示す図である。
【符号の説明】
【００５４】
１００      発光ダイオードバックライト光源
１１０      複数の発光ダイオードストリップ
１２０      ドライバユニット
１２２      駆動電流パルス
１３０      センサユニット
１４０      コントローラ
１５０      光混合ユニット
Ｃ1〜ＣN    駆動電流
Ｄ1〜ＤN    ドライバ
Ｌ1〜ＬN    光
Ｓ1〜ＳN    発光ダイオードストリップ
４１０      バックライト板
４１０Ｒ    赤色発光ダイオード
４１０Ｇ    緑色発光ダイオード
４１０Ｂ    青色発光ダイオード
４１１〜４１６    発光ダイオードストリップ
４２０      ドライバ
４３０      センサ
４４０      コントローラ
４４２      トランスインピーダンス増幅器
４４４      ゲーティングコントローラ
４４６      信号ホルダ（積分器）
４６０      多重化ユニット
４８０      光
【図１】
2009117841.tif 000015
【図２】
2009117841.tif 000016
【図３】
2009117841.tif 000017
【図４】
2009117841.tif 000018